(57)【要約】【課題】外窓との間の下額縁上に物を安定に収容するための有効スペースを、できる限り広くとることができる内窓を提供することを課題とする。【解決手段】屋外側に面して設けた外窓Ａの窓額縁Ｂに対し屋内側に面して設けられ、屋内窓枠２と内開き形式の屋内障子４とから成る内窓１であって、屋内窓枠２は、上枠１１、下枠１２および両縦枠１３，１３のうち、少なくとも下枠１２が両縦枠１３，１３に対し下枠通しで枠組みされているものである。【選択図】  図３
2004238811.tif 000002
【特許請求の範囲】
【請求項１】
屋外側に面して設けた外窓の窓額縁に対し屋内側に面して設けられ、屋内窓枠と内開き形式の屋内障子とから成る内窓であって、
前記屋内窓枠は、その上枠および下枠のうち、少なくとも前記下枠が両縦枠に対し下枠通しで枠組みされていることを特徴とする内窓。
【請求項２】
前記下枠の屋外側部位が、前記縦枠より見込み方向に短く形成されていることを特徴とする請求項１に記載の内窓。
【請求項３】
前記屋内窓枠の屋内側部位と前記屋内障子の框体との間には、シール部材が介設されていることを特徴とする請求項１または２に記載の内窓。
【請求項４】
前記屋内窓枠の屋内側部位は、前記窓額縁の端面に沿ってフランジ状に延設された見付け枠部を有し、
前記屋内障子は、その周縁部を前記見付け枠部に添設するように設けられていることを特徴とする請求項１、２または３に記載の内窓。
【発明の詳細な説明】
【０００１】
【発明の属する技術分野】
本発明は、屋外側に面して設けた出窓は元より、外付け窓や半外付け窓や内付け窓等の窓額縁に対し、屋内側に面して設けられる内窓に関するものである。
【０００２】
【従来の技術】
従来、単一の窓額縁に内外２つの窓を設けるものとして、断熱・防音を目的とするいわゆる２重窓が知られている。この種の２重窓は、外窓に対し内窓を近接して設けるようにしており、内外両窓のいずれも、窓枠と引き戸形式の障子とで構成されている（例えば、特許文献１参照。）。
【０００３】
【特許文献１】
実開昭６１−５９７７９号のマイクロフィルム（図１および図２）
【０００４】
【発明が解決しようとする課題】
ところで、このような２重窓を応用して、内窓を屋内側にできる限り寄せて設け、外窓と内窓との間隙に、例えば鉢植え等を飾り置く簡単な収納スペースを設けることが考えられる。その際、内窓を内開き窓とし、飾り窓の機能を強調することがより好ましい。
しかし、このようにすると、台板に相当する下額縁に、内窓の下枠が大きな段差をもって張り出すため、その分、物を安定に置いておくためのスペースが、実質的に狭いものとなってしまう。すなわち、従来のような縦枠通しの窓枠では、下枠に形成したビスホールにより下枠の実質的な厚みが増し、下額縁と下枠との段差が大きくなってしまう。特に、窓額縁に十分な奥行きスペースの無い外付け窓や半外付け窓では、このような収納スペースを構成しても、着座部分が極端に小さな物しか飾り置くことができなくなる問題がある。
【０００５】
本発明は、外窓との間の下額縁上に物を安定に収容するための有効スペースを、できる限り広くとることができる内窓を提供することを、その課題としている。
【０００６】
【課題を解決するための手段】
本発明の内窓は、屋外側に面して設けた外窓の窓額縁に対し屋内側に面して設けられ、屋内窓枠と内開き形式の屋内障子とから成る内窓であって、屋内窓枠は、その上枠および下枠のうち、少なくとも下枠が両縦枠に対し下枠通しで枠組みされていることを特徴とする。
【０００７】
この構成によれば、屋外側に面して設けた外窓との間に、窓額縁で四周が囲まれたスペース、例えば物を飾置く等の収納スペースを構成することができる。すなわち、２重窓の機能に加え飾り窓の機能を持たせることができる。この場合、少なくとも下枠が両縦枠に対し下枠通しで枠組みされているため、下枠自体にビスホールを形成する必要がなく（強度のみ考慮）、その分、下枠の実質的な厚みを薄くすることができる。これにより、収納スペース内において、窓額縁の下額縁と屋内窓枠の下枠との間の段差を、可能な限り小さくすることができる。もっとも、下枠を省略すれば段差はゼロになるが、下枠を省略することなく屋内窓枠の一体性を確保することで、建付けの悪い窓額縁に対しても組付け性を損なうことがない。
【０００８】
この場合、下枠の屋外側部位が、縦枠より見込み方向に短く形成されていることが、好ましい。
【０００９】
この構成によれば、窓額縁の下額縁における平坦部分を、見込み方向に広く確保することができ、上記の収納スペースにおける有効スペース（例えば、物を飾り置くためのスペース）をより広く確保することができる。
【００１０】
これらの場合、屋内窓枠の屋内側部位と屋内障子の框体との間には、シール部材が介設されていることが、好ましい。
【００１１】
この構成によれば、シール部材により内窓の気密性が維持され、外窓と共に、断熱性および防音性に優れた２重窓の機能を持たせることができる。
【００１２】
これらの場合、屋内窓枠の屋内側部位は、窓額縁の端面に沿ってフランジ状に延設された見付け枠部を有し、屋内障子は、その周縁部を見付け枠部に添設するように設けられていることが、好ましい。
【００１３】
この構成によれば、屋内障子が屋内側に突出するように設けられるため、その分、上記の収納スペースの奥行き（見込み寸法）を広くすることができる。また、屋内障子の採光部面積を可能な限り広くとることができる。
【００１４】
【発明の実施の形態】
以下、添付図面を参照して、本発明の一実施形態に係る内窓について説明する。この内開き窓は、主に既存の外付けや半外付けの窓（外窓）に対し、屋内側に設けられるものであり、外窓との間隙に、鉢植えや切花等を飾り置く収納スペースを構成するものである。
【００１５】
図１および図２に示すように、内窓１は、屋内側に開放する片開きの内開き窓であり、外窓（図５参照）Ａの窓額縁Ｂの屋内側に固定した屋内窓枠２と、上下２箇所のヒンジ金具３を介して、屋内窓枠２の屋内側に添設するように取り付けた屋内障子４とで構成されている。すなわち、屋内窓枠２の屋内側部位は、窓額縁Ｂの端面Ｂａに沿ってフランジ状に延設されており、この部分（見付け枠部２ａ）に屋内障子４が添設するように設けられている。このため、屋内障子４は、その厚み分、屋内側に突出するように配設されている。
【００１６】
屋内窓枠２は、それぞれアルミニウムの形材等で構成した上枠１１、下枠１２および両縦枠１３，１３を四周枠組みして構成されている。同様に、屋内障子４は、それぞれアルミニウムの形材等で構成した上框２１、下框２２および両縦框２３，２３を四周框組みすると共に、これに透光性（透明）のガラスや樹脂等のパネル体２４を組み込んで構成されている。なお、上框２１、下框２２および両縦框２３，２３から成る框体２０は、一般的な縦通しで框組みされているが、屋内窓枠２は、横通し（上枠および下枠通し）で枠組みされている（詳細は後述する）。
【００１７】
上框２１および下框２２は、同一断面形状の形材で構成されており、それぞれガスケット３１を介してパネル体２４が取り付けられる取付け溝部３２と、取付け溝部３２の屋外側に隣接して設けた方形中空部３３と、取付け溝部３２および方形中空部３３の背面側に設けた溝形部３４とで、一体に形成されている。同一断面形状の上框２１および下框２２は、上下を相互に反転して配設されると共に、上框２１の下面と上枠１１の下面とが面一に、また下框２２の上面と下枠１２の上面とが面一に配設されている。
【００１８】
両縦框２３，２３は、同一断面形状の形材で構成されており、それぞれガスケット３１を介してパネル体２４が取り付けられる取付け溝部３６と、取付け溝部３６の屋外側に隣接して設けた正方形中空部３７と、取付け溝部３６および正方形中空部３７の背面側に設けた長方形中空部３８とで、一体に形成されている。この場合も、各縦框２３の内面と縦枠１３の内面とが略面一に配設されている。これにより、上框２１、下框２２および両縦框２３，２３から成る框体２０の内側輪郭と、上枠１１、下枠１２および両縦枠１３，１３から成る枠体（屋内窓枠２）内側輪郭とがほぼ合致し、採光部面積が最大限確保されるようになっている。
【００１９】
なお、図中（図２）の符号４１は、断面「Ｌ」字状に形成された補強板（ピースもの）であり、長方形中空部３８に形成した貫通孔４２から挿入したビス（１本）４３を、この補強板４１を介して上框２１や下框２２の小口に螺合させることにより、上框２１、下框２２および両縦框２３，２３が框組みされている。また、図４に示すように、各縦框２３の上下の小口には、それぞれ縦框キャップ（樹脂キャップ）４４が装着されており、縦框キャップ４４の外側面に形成した円形突起４４ａが、上記の貫通孔４２に孔隠しおよび抜止めとなるように係止されている。そして、縦框キャップ４４の上面と上框２１の上面が面一になるように、縦框キャップ４４の厚み分、縦框２３の上端部は短く形成されている（下框２２の全く同様）。
【００２０】
図１および図３に示すように、上枠１１は、窓額縁Ｂの屋内側内面に添設される上添設枠部５１と、上添設枠部５１から窓額縁Ｂの端面Ｂａに沿って上方へ屈曲形成した上見付け面部５２とで、断面「Ｌ」字状に一体に形成されている。上添設枠部５１には、３（複数）片の上リブ片５３，５３，５３が形成され、また上見付け面部５２の上端部にはＡＴ材取付け部５４が形成されている。そして、上枠１１は、上添設枠部５１の見込み方向中間位置に設けた固定ビス（長手方向に複数）５５により、窓額縁Ｂの内面に固定されている。
【００２１】
同様に、各縦枠１３は、窓額縁Ｂの屋内側内面に添設される縦添設枠部６１と、縦添設枠部６１から窓額縁Ｂの端面Ｂａに沿って側方へ屈曲形成した縦見付け面部６２とで、断面「Ｌ」字状に一体に形成されている。縦添設枠部６１には、２（複数）片の縦リブ片６３，６３と２（複数）個のビスホール６４，６４とが形成され、また縦見付け面部６２の外端部にはＡＴ材取付け部６５が形成されている。そして、各縦枠１３は、縦添設枠部６１の見込み方向中間位置に設けた固定ビス（長手方向に複数）６６により、窓額縁Ｂの内面に固定されている。なお、縦添設枠部６１の見込み方向の長さは、スライドヒンジで構成した上記ヒンジ金具３のベースプレート３ａの長さに合致する長さとなっている。
【００２２】
下枠１２は、窓額縁Ｂの屋内側内面に添設される下添設枠部７１と、下添設枠部７１から窓額縁Ｂの端面Ｂａに沿って下方へ屈曲形成した下見付け面部７２とで、断面「Ｌ」字状に一体に形成されている。下添設枠部７１には、２（複数）片の下リブ片７３，７３が形成され、また下見付け面部７２の下端部にはＡＴ材取付け部７４が形成されている。そして、下枠１２は、下添設枠部７１の屋外側位置に設けた固定ビス（長手方向に複数）７５により、窓額縁Ｂの内面に固定されている。なお、上見付け面部５２、下見付け面部７２および両見付け面部６２，６２により、上記した屋内窓枠２の見付け面部２ａが構成されている。
【００２３】
下枠１２の下添設枠部７１は、上枠１１の上添設枠部５１および縦枠１３の縦添設枠部６１より短く形成されている。すなわち、上添設枠部５１および縦添設枠部６１の見込み方向の長さは同一であるが、下添設枠部７１の見込み方向の長さは、これらのほぼ１／２の長さとなっている。また、上記の各ＡＴ材取付け部５４，６５，７４には、２重窓の機能を持たせるべく、無端に連続するようにＡＴ材（シール部材）７７が取り付けられている。なお、図中（図３）の符号８１，８２は、上枠１１および下枠１２のそれぞれの小口に装着される樹脂製の上枠キャップおよび下枠キャップである。
【００２４】
このように構成された上枠１１、下枠１２および両縦枠１３，１３は、図３に示すように、上枠１１および下枠１２の両外端部に両縦枠１３，１３を挟み込む、いわゆる上枠・下枠通し（横通し）で枠組みされ、この状態で図５に示すように窓額縁Ｂに屋内側から装着するようにして、組み込まれている。すなわち、屋内窓枠２は、四周を枠組みされることで一体性が維持され、新設の窓額縁Ｂは元より、既設の窓額縁（外付け窓等）Ｂにも、容易に取り付け得るようになっている。
【００２５】
このようにして、窓額縁Ｂの屋内側に屋内窓枠２を取り付け、且つこの屋内窓枠２にヒンジ金具３を介して屋内障子４を取り付けると、外窓Ａ、窓額縁Ｂおよび内窓１で囲まれた空間に、鉢植えや切花等を飾り置く収納スペース５が構成される。この場合、屋内窓枠２が下枠通しで枠組みされているため、下枠１２にビスホールを形成する必要がなく、その分、下枠（下添設枠部７１）の全厚を比較的薄手に形成することができ、窓額縁Ｂと下枠１２との段差を小さくすることができる。また、屋内障子４を屋内窓枠２に添設するように配設し、且つ下枠（下添設枠部７１）１２が縦枠（縦添設枠部６１）１３より短く形成されているため、窓額縁Ｂの平坦部分を見込み方向に広くとることができる。
【００２６】
したがって、収納スペース５の底面に鉢植え等を飾り置く場合に、下枠の下添設枠部７１が邪魔になることがなく、有効なスペースを広くとることができる。特に、出窓と異なり奥行きのない外付け窓の窓額縁Ｂであっても、鉢植え等を飾り置くのに十分な収納スペース５を構成することができる。
【００２７】
なお、本実施形態では片開きの内窓に適用した場合について説明したが、本発明の内開き窓は、両開き（観音開き）の内窓にも適用可能である。また、本発明は、新設・既設を問わず、外窓が出窓や半外付け窓や内付け窓等の窓額縁のある各種の窓に適用可能である。
【００２８】
【発明の効果】
以上のように、本発明の内窓によれば、外窓との間の窓額縁で囲まれた空間に、物を飾置く等の収納スペースを構成することができ、且つ屋内窓枠の下枠を下枠通しで枠組みしているため、収納スペース内に物を安定に収容するための有効スペースを広くとることができる。これにより、特に外窓が、例えば外付け窓や半外付け窓等の場合でも、窓額縁部分のスペースを収納や室内装飾等のスペースとして有効に活用することができる。
【図面の簡単な説明】
【図１】本発明の一実施形態に係る内窓廻りの縦断面図である。
【図２】実施形態に係る内窓周りの横断面図である。
【図３】内窓における屋内窓枠の分解斜視図である。
【図４】内窓における屋内障子の框体の部分斜視図である。
【図５】組み立てた状態の内窓と、窓額縁（外窓）との関係を表した分解斜視図である。
【符号の説明】
１  内窓、２  屋内窓枠、２ａ  見付け面部、４  屋内障子、５  収納スペース、１１  上枠、１２  下枠、１３  縦枠、２０  框体、７１  下添設枠部、７２  下見付け面部、Ａ  外窓、Ｂ  窓額縁、Ｂａ  端面
【図１】
2004238811.tif 000003
【図２】
2004238811.tif 000004
【図３】
2004238811.tif 000005
【図４】
2004238811.tif 000006
【図５】
2004238811.tif 000007